(57)【特許請求の範囲】
【請求項１】
上端面に開口部が形成された筐体と、この筐体内に往復摺動自在に収納された光学ユニットと、前記筐体に取り付けられて前記開口部を覆うコンタクトガラスとを有し、前記光学ユニットを前記コンタクトガラス上に載置された原稿に対向させて走行させながら原稿の画像を読み取るようにした画像読取装置において、
前記筐体は、矩形状の底面板とこの底面板の４辺から立ち上がった立ち上がり面板とを有してこれらの底面板と立ち上がり面板とがＬ字形状部をなす上端開放の箱体と、この箱体に固定された側面板とからなり、
前記側面板は、一部品内に２つの垂直部とこれらの垂直部の一端側同士を繋ぐ1つの水平部とを有してクランク状に折り曲げられた部分を有し、
一方の前記垂直部と前記水平部とで形成された前記側面板のＬ字形状部と前記箱体の前記Ｌ字形状部とにより角パイプ形状部が形成されるように前記側面板が前記箱体に固定され、
他方の前記垂直部の他端側に前記水平部と平行に対向する第２水平部が折り曲げて形成され、この第２水平部が前記コンタクトガラスの載置面とされ、前記水平部が前記光学ユニットのガイドレール面とされ、かつ前記載置面となる前記第２水平部と前記ガイドレール面となる前記水平部とが１部品により形成されていることを特徴とする画像読取装置。
【請求項２】
前記角パイプ形状部が、前記底面板の４辺に井桁状に配置されていることを特徴とする請求項１記載の画像読取装置。
【発明の詳細な説明】
【０００１】
【発明の属する技術分野】
【０００２】
本発明は、原稿が載置されるコンタクトガラスと、コンタクトガラス上に載置された原稿に対向して走行する光学ユニットとを有する画像読取装置に関する。
【従来の技術】
【０００３】
近年、スキャナなどの画像読取装置ではデジタル方式のものが普及している。デジタル方式の画像読取装置では、この画像読取装置をプリンタと一体に設ける必要はなく、プリンタと別体に設けられたものが増えている。
【０００４】
ここで、画像読取装置は、中空状であって上端面に開口部が形成された筐体と、この筐体内に往復摺動自在に収納された光学ユニットと、開口部を覆うコンタクトガラス等により形成されている。そして、筐体内の中央部である光学ユニットが往復摺動する領域内には補強部材を設けることができない。このため、プリンタと別体に設けられている画像読取装置は、その筐体の剛性が低くなり、画像読取装置の設置時やメンテナンスなどのための画像読取装置を移動させた時に筐体が変形したり歪みを生じたりしやすい。
【０００５】
このような画像読取装置において、読み取る画像の直線性、直角性、色分離性等に関する画像読取性能を長期間に渡って維持するためには、何らかの手段により筐体の剛性を高め、筐体の変形や歪みなどの発生を防止することが必要である。
【０００６】
筐体の剛性を高めるための構造としては、筐体内の周縁部に配置されて光学ユニットを保持するガイドレールを角パイプ状に形成したものが知られている。さらに、ガイドレールと直行する位置の筐体側板に角パイプ形状部を形成したものが知られている。
【発明が解決しようとする課題】
【０００７】
しかし、筐体の剛性アップのために角パイプ状のガイドレールを設けたり筐体側板に角パイプ形状部を形成した場合には、部品点数が増えたり各部品の製造コストがアップし、画像読取装置全体の製造コストがアップする。
【０００８】
また、筐体内に取り付けたガイドレールにより光学ユニットを保持し、筐体の上端部にコンタクトガラスを取り付けた場合には、各部品の寸法公差の積み上がりにより、コンタクトガラスと光学ユニットとの間隔が、各画像読取装置毎に区々となり、又は、１つの画像読取装置においても光学ユニットの位置によって区々となり、画像読取性能が低下することがある。
【０００９】
そこで本発明は、部品点数を増加させることなく簡単な構造により筐体の剛性をアップさせることができる画像読取装置を提供することを目的とする。
【００１０】
さらに本発明は、部品寸法の公差の積み上がりによるコンタクトガラスと光学ユニットとの間隔のばらつきを少なくし、画像読取性能をアップさせることができる画像読取装置を提供することを目的とする。
【課題を解決するための手段】
【００１１】
請求項１記載の発明は、上端面に開口部が形成された筐体と、この筐体内に往復摺動自在に収納された光学ユニットと、前記筐体に取り付けられて前記開口部を覆うコンタクトガラスとを有し、前記光学ユニットを前記コンタクトガラス上に載置された原稿に対向させて走行させながら原稿の画像を読み取るようにした画像読取装置において、
前記筐体は、矩形状の底面板とこの底面板の４辺から立ち上がった立ち上がり面板とを有してこれらの底面板と立ち上がり面板とがＬ字形状部をなす上端開放の箱体と、この箱体に固定された側面板とからなり、
前記側面板は、一部品内に２つの垂直部とこれらの垂直部の一端側同士を繋ぐ1つの水平部とを有してクランク状に折り曲げられた部分を有し、
一方の前記垂直部と前記水平部とで形成された前記側面板のＬ字形状部と前記箱体の前記Ｌ字形状部とにより角パイプ形状部が形成されるように前記側面板が前記箱体に固定され、
他方の前記垂直部の他端側に前記水平部と平行に対向する第２水平部が折り曲げて形成され、この第２水平部が前記コンタクトガラスの載置面とされ、前記水平部が前記光学ユニットのガイドレール面とされ、かつ前記載置面となる前記第２水平部と前記ガイドレール面となる前記水平部とが１部品により形成されている。
【００１２】
したがって、光学ユニットのガイドレール面とコンタクトガラスの載置面とが１部品により形成されているため、部品寸法の公差の積み上がりによるガイドレール面と載置面との間隔のばらつきが、各画像読取装置間において、又は、１つの画像読取装置内において少なくなり、画像読取性能がアップする。
【００１３】
また、箱体に側面板が固定されることにより筐体が形成され、このとき、箱体のＬ字形状部と側面板のＬ字形状部とにより角パイプ形状部が形成されるので、部品点数を増加させることなく簡単な構造により形成された角パイプ形状部により筐体の剛性がアップされる。
【００１４】
請求項２記載の発明は、請求項１記載の画像読取装置において、前記角パイプ形状部が前記底面板の４辺に井桁状に配置されているので、筐体の剛性がより一層アップされている。
【発明の実施の形態】
【００１５】
本発明の一実施の形態を図面に基づいて説明する。図１は画像読取装置であるスキャナ１の設置状態を示した正面図である。画像形成が行われるプリンタ２を跨ぐように支持台３が配置され、この支持台３の上にスキャナ１が設置されている。スキャナ１とプリンタ２とは、スキャナ１で読み取った画像データをプリンタ２へ送信する送信用コード（図示せず）で接続されている。プリンタ２の下部には給紙トレイ４が抜き差し自在に取り付けられ、プリンタ２の上面部には画像形成が終了した用紙が排紙される排紙トレイ５が形成されている。
【００１６】
図２は、スキャナ１の概略構造を示した縦断側面図である。スキャナ１は、上端面に開口部６が形成された筐体７と、筐体７内に往復動自在に収納された光学ユニット８と、筐体７に取り付けられて開口部６を覆うコンタクトガラス９とを有している。
【００１７】
図３は筐体７を示した斜視図、図４はその分解斜視図、図５は筐体７の一部を拡大して示した斜視図、図６はその分解斜視図である。筐体７は、矩形状の底面板１０と、この底面板１０の４辺から立ち上がった４枚の立ち上がり面板１１とを有し、底面板１０と立ち上がり面板１１とがＬ字形状部１２をなす上端開放の箱体１３と、箱体１３に固定された４枚の側面板１４とにより形成されている。
【００１８】
側面板１４は、２つの垂直部１５，１６と、これらの垂直部１５，１６の一端同士を繋ぐ１つの水平部１７とを有してクランク状に折り曲げられた部分と、垂直部１６の他端側に形成されて水平部１７と上下方向で平行に対向するように折り曲げられた第２水平部１８とにより形成されている。一方の垂直部１５と水平部１７とによりＬ字形状部１９が形成されている。
【００１９】
箱体１３への側面板１４の固定は、図６に示したように、一方の垂直部１５の下縁部に形成された突起２０を底面板１０に形成された穴２１に差し込まれて折り曲げられるとともにその折り曲げ部分が溶接され、さらに、図５に示したように、垂直部１６と立ち上がり面板１１とが重ね合わされて溶接又はねじ止め等されることにより行われている。そして、箱体１３と側面板１４とが固定されることにより、箱体１３のＬ字形状部１２と側面板１４のＬ字形状部１９とにより角パイプ形状部２２が形成されている。角パイプ形状部２２は底面板１０の４辺に井桁状に配置されている。
【００２０】
箱体１３に側面板１４が固定されることにより形成された筐体７は、筐体７の長手方向に沿って水平方向に配置された一対の水平部１７が光学ユニット８のガイドレール面とされ、第２水平部１８がコンタクトガラス９の載置面とされている。
【００２１】
このような構成において、スキャナ１の筐体７は、側面板１４が箱体１３に固定されることにより形成され、このとき、箱体１３のＬ字形状部１２と側面板１４のＬ字形状部１９とにより角パイプ形状部２２が形成されるので、部品点数を増加させることなく簡単な構造により形成された角パイプ形状部２２により筐体７の剛性がアップされる。しかも、このような角パイプ形状部２２が底面板１０の４辺に井桁状に配置されているので、筐体７の剛性がより一層アップされている。このため、スキャナ１の設置時や、スキャナ１又はプリンタ２のメンテナンスなどのためスキャナ１を移動させた場合において、筐体７の変形や歪みなどが発生しにくくなり、筐体７の変形や歪みが原因となる画像読取性能の低下が防止される。
【００２２】
側面板１４においては、水平部１７と第２水平部１８とが折り曲げ加工されて上下方向で平行に対向され、第２水平部１８が光学ユニット８のガイドレール面とされ、水平部１７がコンタクトガラス９の載置面とされている。このため、部品寸法の公差の積み上がりによる水平部１７と第２水平部１８との間隔（ガイドレール面と載置面との間隔）のばらつきは、各スキャナ１間においても少なくなり、又は、1つのスキャナ１内においても少なくなり、画像読取性能がアップする。
【発明の効果】
【００２３】
請求項１記載の発明の画像読取装置によれば、箱体に側面板が固定されることにより筐体が形成され、このとき、箱体のＬ字形状部と側面板のＬ字形状部とにより角パイプ形状部が形成されるので、部品点数を増加させることなく簡単な構造により角パイプ形状部を形成することができ、この角パイプ形状部により筐体の剛性をアップさせることができるとともに筐体の剛性をアップさせて筐体の変形や歪みを防止することができ、筐体の変形や歪みが原因となる画像読取性能の低下を防止することができる。
【００２４】
また、他方の垂直部の他端側に水平部と平行に対向する第２水平部が折り曲げて形成され、この第２水平部がコンタクトガラスの載置面とされ、水平部が光学ユニットのガイドレール面とされているので、光学ユニットのガイドレール面とコンタクトガラスの載置面とが１部品により形成されていることにより、部品寸法の公差の積み上がりによるガイドレール面と載置面との間隔のばらつきを、各画像読取装置間において、又は、1つの画像読取装置内において少なくすることができ、それによって画像読取性能をアップさせることができる。
【００２５】
請求項２記載の発明によれば、請求項１記載の画像読取装置において、角パイプ形状部が底面板の４辺に井桁状に配置されているので、筐体の剛性をより一層アップさせることができ、筐体の変形や歪みが原因となる画像読取性能の低下をより一層防止することができる。
【図面の簡単な説明】
【図１】  本発明の一実施の形態のスキャナの設置状態を示した正面図である。
【図２】  スキャナの概略構造を示した縦断段側面図である。
【図３】  筐体を示した斜視図である。
【図４】  その分解斜視図である。
【図５】  筐体の一部を拡大して示した斜視図である。
【図６】その分解斜視図である。
【符号の説明】
１  画像読取装置
６  開口部
７  筐体
８  光学ユニット
９  コンタクトガラス
１０  底面板
１１  立ち上がり面板
１２  Ｌ字形状部
１３  箱体
１４  側面板
１５，１６  垂直部
１７  水平部、ガイドレール面
１９  Ｌ字形状部
１８  第２水平部、載置面
２２  角パイプ形状部
【図１】
0003781252.tif 000002
【図２】
0003781252.tif 000003
【図３】
0003781252.tif 000004
【図４】
0003781252.tif 000005
【図５】
0003781252.tif 000006
【図６】
0003781252.tif 000007